(57)【要約】【課題】寝ている体毛の外刃に対する導入性能の向上を図ることのできる電気かみそりを得る。【解決手段】電気かみそり１は、桟４０によって画成された刃穴５０を有する外刃８と、当該外刃８の内方に配設されて外刃８に対して相対移動することで、刃穴５０に挿入された体毛７１を切断する内刃１３と、を備えている。そして、肌７０と接触する肌接触面４３ａが起毛桟４５の肌接触面４５ｊよりも内刃１３側に位置する第１の桟４３を、剃り方向Ｘ前方で起毛桟４５と隣り合うように設けた。【選択図】図１３
2011200551.tif 000002
【特許請求の範囲】
【請求項１】
桟によって画成された刃穴を有する外刃と、当該外刃の内方に配設されて前記外刃に対して相対移動することで、前記刃穴に挿入された体毛を切断する内刃と、を備える電気かみそりであって、
前記桟は、体毛を起立させる起毛部を有する起毛桟と、当該起毛桟の肌接触面よりも、肌接触面が内刃側となるように設けられた第１の桟と、を備え、
前記起毛桟の剃り方向前方に、当該起毛桟と隣り合うように前記第１の桟を設けたことを特徴とする電気かみそり。
【請求項２】
前記桟は、前記起毛桟の肌接触面よりも、肌接触面が肌側となるように設けられた第２の桟を備えていることを特徴とする請求項１に記載の電気かみそり。
【請求項３】
前記外刃が頂部と外側部とを有する逆Ｕ字状に湾曲しており、
前記起毛桟を、前記外刃の外側部に設けたことを特徴とする請求項１または請求項２に記載の電気かみそり。
【請求項４】
前記外刃の頂部に前記第１の桟を設けたことを特徴とする請求項３に記載の電気かみそり。
【請求項５】
前記外刃の頂部に前記第２の桟を設けたことを特徴とする請求項３に記載の電気かみそり。
【請求項６】
前記起毛桟の剃り方向後方に、当該起毛桟と隣り合うように前記第１の桟を設けたことを特徴とする請求項１〜３のうちいずれか１項に記載の電気かみそり。
【請求項７】
前記起毛桟の剃り方向後方に、当該起毛桟と隣り合うように前記第２の桟を設けたことを特徴とする請求項２または請求項３に記載の電気かみそり。
【発明の詳細な説明】
【技術分野】
【０００１】
本発明は、電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛、すなわち、寝ている体毛は剃りにくいという問題がある。そこで、寝ている体毛を起こす起毛力が従来よりも大きい起毛部を外刃の桟に設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
しかしながら、上記従来の技術では、複数の桟は、それぞれの肌接触面が同一平面に含まれるように形成されているため、桟に設けた起毛部が寝ている体毛の下（体毛と肌面との間）に入り込みにくかった。すなわち、上記従来の技術では、寝ている体毛の外刃に対する導入性能があまりよくなかった。
【０００５】
そこで、本発明は、寝ている体毛の外刃に対する導入性能の向上を図ることのできる電気かみそりを得ることを目的とする。
【課題を解決するための手段】
【０００６】
本発明にあっては、桟によって画成された刃穴を有する外刃と、当該外刃の内方に配設されて前記外刃に対して相対移動することで、前記刃穴に挿入された体毛を切断する内刃と、を備える電気かみそりであって、前記桟は、体毛を起立させる起毛部を有する起毛桟と、当該起毛桟の肌接触面よりも、肌接触面が内刃側となるように設けられた第１の桟と、を備え、前記起毛桟の剃り方向前方に、当該起毛桟と隣り合うように前記第１の桟を設けたことを特徴とする。
【発明の効果】
【０００７】
本発明によれば、肌と接触する肌接触面が、起毛桟の肌接触面よりも内刃側に位置する第１の桟を剃り方向前方で起毛桟と隣り合うように設けたため、電気かみそり使用時に、起毛桟を肌により食い込ませることができ、寝ている体毛をより効率的に起毛させることができるようになる。すなわち、本発明によれば、寝ている体毛の外刃に対する導入性能の向上を図ることができる。
【図面の簡単な説明】
【０００８】
【図１】図１は、本発明の第１実施形態にかかる電気かみそりを示す正面図である。
【図２】図２は、本発明の第１実施形態にかかる内刃を示す斜視図である。
【図３】図３は、本発明の第１実施形態にかかる外刃カセットを模式的に示す斜視図である。
【図４】図４は、本発明の第１実施形態にかかる外刃を側方から見た概略図である。
【図５】図５は、本発明の第１実施形態にかかる外刃の一部を拡大した斜視図である。
【図６】図６は、本発明の第１実施形態にかかる第１の桟の断面図である。
【図７】図７は、本発明の第１実施形態にかかる第２の桟の断面図である。
【図８】図８は、本発明の第１実施形態にかかる起毛桟を示す断面図であって、（ａ）は、起毛桟の断面図、（ｂ）は、起毛部の拡大断面図である。
【図９】図９は、本発明の第１実施形態にかかる起毛桟を示す斜視図である。
【図１０】図１０は、図９のＡ−Ａ線断面図である。
【図１１】図１１は、本発明の第１実施形態にかかる長板状部材の平面図である。
【図１２】図１２は、本発明の第１実施形態にかかる長手方向桟の配置状態を示す図であって、（ａ）は、図１１の一部拡大平面図、（ｂ）は、図１２（ａ）のＢ−Ｂ線断面図である。
【図１３】図１３は、本発明の第１実施形態にかかる長手方向桟の配置状態を示す拡大断面図である。
【図１４】図１４は、本発明の第１実施形態にかかる起毛桟が寝ている体毛を起こす様子を模式的に示す図であって、（ａ）は、起毛桟の起毛部が寝ている体毛の下に入り込んだ状態を模式的に示す断面図、（ｂ）は、起毛部が寝ている体毛を起こす状態を模式的に示す断面図である。
【図１５】図１５は、本発明の第１実施形態の第１変形例にかかる桟を示す断面図である。
【図１６】図１６は、本発明の第１実施形態の第２変形例にかかる桟を示す断面図である。
【図１７】図１７は、本発明の第１実施形態の第３変形例にかかる桟を示す断面図である。
【図１８】図１８は、本発明の第１実施形態の第４変形例にかかる桟を示す断面図である。
【図１９】図１９は、本発明の第１実施形態の第５変形例にかかる桟を示す断面図である。
【図２０】図２０は、本発明の第１実施形態の第６変形例にかかる桟を示す断面図である。
【図２１】図２１は、本発明の第１実施形態の第７変形例にかかる桟を示す断面図である。
【図２２】図２２は、本発明の第２実施形態にかかる長手方向桟の配置状態を示す図であって、（ａ）は、長板状部材の一部拡大断面図、（ｂ）は、外刃の一部拡大断面図である。
【図２３】図２３は、本発明の第２実施形態にかかる起毛桟が寝ている体毛を起こす様子を模式的に示す断面図である。
【図２４】図２４は、本発明の第３実施形態にかかる電気かみそりの一部拡大平面図である。
【図２５】図２５は、本発明の第３実施形態にかかる内刃と外刃で寝ている体毛を切断する様子を模式的に示す図であって、（ａ）は、起毛部が寝ている体毛を起こす状態を模式的に示す断面図、（ｂ）は、体毛を切断した状態を示す断面図である。
【発明を実施するための形態】
【０００９】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。また、以下では、複数の外刃が並設される方向を前後方向（剃り方向）Ｘ、各外刃が延在する方向を左右方向Ｙとして説明する。また、外刃が上方を向くようにヘッド部を配置した状態における上下方向を上下方向Ｚとして説明する。
【００１０】
（第１実施形態）
本実施形態にかかる電気かみそり１は、図１に示すように、手で把持するグリップ部２と、グリップ部２に固定されたヘッド部５と、を備えている。
【００１１】
グリップ部２は、図示せぬ電池が内蔵される合成樹脂製のグリップ本体３と、このグリップ本体３の上面より後方に突設された合成樹脂製のグリップ接続部４と、を備えている。なお、グリップ接続部４の上面に、公知の左右揺動機構および公知の前後揺動機構のうちの少なくともいずれかの機構を設け、ヘッド部５をグリップ部２に左右方向や前後方向に揺動できるように取り付けてもよい。
【００１２】
ヘッド部５は、図示せぬリニアモータが内蔵され、グリップ接続部４に接続されるリニアヘッド部６と、当該リニアヘッド部６に取り付けられる刃ユニット７と、を備えている。そして、グリップ本体３には、図１に示すように、リニアモータの駆動をオン、オフさせるスイッチ部９０が形成されている。なお、グリップ本体３に、電池の充電状況等を表示する表示部を設けるようにしてもよい。
【００１３】
刃ユニット７は、ヘッド部５の上方に向けて露出する外刃８と、当該外刃８の内方（外刃８の下側）に配設されて外刃８に対して相対移動する内刃１３と、を備えている。
【００１４】
本実施形態では、４枚（複数）の外刃を備えており、第１のネット刃９、仕上げ用ネット刃１０、スリット刃１１、第２のネット刃１２が前後方向Ｘに並設されている。
【００１５】
ネット刃９，１０，１２はいずれも、図４に示すように、側面視（左右方向Ｙに外刃を視た状態）で上方が凸となるように前後方向（短手方向）Ｘに沿って逆Ｕ字状に湾曲して形成されている。さらに、ネット刃９，１０，１２は、正面視（前後方向Ｘに外刃を視た状態）で上方が凸となるように左右方向（長手方向）Ｙに沿って若干湾曲して形成されている。なお、本実施形態では、ネット刃９，１０，１２を、正面視で上方が凸となるように湾曲させているが、必ずしも湾曲させる必要はない。
【００１６】
そして、このネット刃９，１０，１２には、多数の刃穴５０が桟４０によって画成されている。さらに、本実施形態では、図３に示すように、仕上げ用ネット刃１０の刃幅（前後方向Ｘの幅）が、第１及び第２のネット刃９，１２の刃幅（前後方向Ｘの幅）よりも小さくなるようにしている。このように、仕上げ用ネット刃１０の刃幅を他のネット刃９，１２の刃幅に比して小さく、すなわち、仕上げ用ネット刃１０の曲率半径を小さく設けることで、表面に押し付けた肌７０を刃穴５０から大きく内側に突出させて体毛７１（図１４参照）を短く剃ることができるようにしている。
【００１７】
スリット刃１１は、前後方向（短手方向）Ｘに沿ってコ字状に湾曲形成されており、平坦な上壁から側壁に至る多数のスリット（刃穴）を穿設することで形成されている。
【００１８】
すなわち、スリット刃１１には、多数のスリット（刃穴）が、平坦な上壁から側壁に至る略コ字状の桟および側壁の下部で長手方向（左右方向）Ｙに沿って延在する桟によって画成されている。
【００１９】
そして、外刃８を成す各ネット刃９，１０，１２およびスリット刃１１は、それぞれ専用の外刃枠１９，２０，２２および２１に取り付けられている。
【００２０】
さらに、外刃枠２０の第１のネット刃９側には、肌ガード部材２０ａが形成されており、仕上げ用ネット刃１０を前後に挟むスリット刃１１と肌ガード部材２０ａとによって、曲率半径の小さな仕上げ用ネット刃１０に肌７０が強く押し付けられることを効果的に防止している。
【００２１】
そして、第１のネット刃９が取り付けられた外刃枠１９、仕上げ用ネット刃１０が取り付けられた外刃枠２０、スリット刃１１が取り付けられた外刃枠２１および第２のネット刃１２が取り付けられた外刃枠２２を、外刃フレーム１８にそれぞれ係合させることで、外刃カセット３０を形成している。この外刃カセット３０は、リニアヘッド部６に取り付けられている。
【００２２】
内刃１３は、外刃８を成す各ネット刃９，１０，１２およびスリット刃１１に対して専用のものが設置されている。具体的には、各ネット刃９，１０，１２の下方（内方）に、対応するネット刃９，１０，１２の湾曲に沿う逆Ｕ字状の内刃１４，１５，１７が配設されている（図２参照）。なお、スリット刃１１の下方（内方）には、このスリット刃１１の湾曲に沿うコ字状のスリット内刃（図示せず）が配設されている。
【００２３】
そして、これら内刃１４，１５，１７およびスリット内刃（図示せず）は、上述の図示せぬリニアモータに取り付けられており、リニアモータを駆動させると、内刃１４，１５，１７およびスリット内刃（図示せず）がそれぞれ左右方向（長手方向）Ｙに往復動するようになっている。
【００２４】
このように、各ネット刃９，１０，１２およびスリット刃１１の下方（内方）に配設された内刃１４，１５，１７およびスリット内刃（図示せず）を、各ネット刃９，１０，１２およびスリット刃１１に対してそれぞれ相対移動（左右方向Ｙへの往復動）させることで、各ネット刃９，１０，１２の刃穴５０およびスリット刃１１のスリット内に挿入された体毛７１を、各ネット刃９，１０，１２およびスリット刃１１と、内刃１４，１５，１７およびスリット内刃（図示せず）と、で協働して切断するように構成している。
【００２５】
次に、本実施形態にかかるネット刃９，１０，１２について詳細に説明する。
【００２６】
本実施形態では、ネット刃９，１０，１２は、桟４０によって多数の刃穴５０が画成されている。具体的には、桟４０は、図５に示すように、短手方向（前後方向）Ｘに沿って波状に延在する短手方向桟４１と、長手方向（左右方向）Ｙに沿って延在する長手方向桟４２と、を備えている。そして、これらの桟４１，４２によって平面視略六角状の刃穴５０が画成されている。この刃穴５０は、体毛７１が挿入可能な大きさに形成されている。
【００２７】
なお、本実施形態では、多数の刃穴５０を画成した長板状部材９ｃ，１０ｃ，１２ｃ（図１１参照）を、上方が凸となるように前後方向（剃り方向）Ｘに沿って逆Ｕ字状に湾曲させた状態で外刃枠１９，２０，２２にそれぞれ取り付けることで、側方から見て逆Ｕ字状に湾曲したネット刃９，１０，１２を形成している。
【００２８】
このように、側方から見て逆Ｕ字状に湾曲形成したネット刃９，１０，１２は、最も高い部位に位置する頂部９ａ，１０ａ，１２ａが、肌７０との接触圧が大きくなる部位となる。そして、頂部９ａ，１０ａ，１２ａの短手方向両側の外側に位置する外側部９ｂ，１０ｂ，１２ｂが、頂部９ａ，１０ａ，１２ａよりも肌７０との接触圧が小さくなる部位となる。なお、図５における一点鎖線は頂部９ａ，１０ａ，１２ａの短手方向の中心を通る中心線である。
【００２９】
また、本実施形態では、長手方向桟４２は、図６に示す断面形状の長手方向桟（第１の桟）４３と、図７に示す断面形状の長手方向桟（第２の桟）４４と、図８（ａ）に示す断面形状の長手方向桟（起毛桟）４５と、を備えている。
【００３０】
長手方向桟（第１の桟）４３は、図６に示すように、肌７０側（図６の上側）に形成されて肌７０が接触する略平坦状の表面（肌接触面）４３ａと、内刃１３側（図６の下側）に平坦状に形成された底面４３ｂと、表面（肌接触面）４３ａおよび底面４３ｂの短手方向端部同士を滑らかに結ぶ両側面４３ｃ，４３ｃと、で断面略蒲鉾状に形成されている。また、長手方向桟（第１の桟）４３の底部４３ｄの短手方向両端部には、内刃１３側に突出して内刃１３に摺接する摺接部４３ｅが形成されており、当該摺接部４３ｅと内刃１３とで体毛７１を切断するようになっている。そして、本実施形態では、長手方向桟（第１の桟）４３の上部４３ｆの短手方向端４３ｇが、曲率半径Ｒ１の断面半円状に形成されており、肌７０に与えるダメージを抑制できるようになっている。このＲ１は、例えば１０μｍが好ましい。
【００３１】
また、長手方向桟（第２の桟）４４も、図７に示すように、肌７０側（図７の上側）に形成されて肌７０が接触する略平坦状の表面（肌接触面）４４ａと、内刃１３側（図７の下側）に平坦状に形成された底面４４ｂと、表面（肌接触面）４４ａおよび底面４４ｂの短手方向端部同士を滑らかに結ぶ両側面４４ｃ，４４ｃと、で断面略蒲鉾状に形成されている。また、長手方向桟（第２の桟）４４の底部４４ｄの短手方向両端部には、内刃１３側に突出して内刃１３に摺接する摺接部４４ｅが形成されており、当該摺接部４４ｅと内刃１３とで体毛７１を切断するようになっている。そして、本実施形態では、長手方向桟（第２の桟）４４の上部４４ｆの短手方向端４４ｇが、曲率半径Ｒ３の断面半円状に形成されており、肌７０に与えるダメージを抑制できるようになっている。このＲ３は、例えば１０μｍ以上とするのが好ましい。
【００３２】
ここで、短手方向桟４１の表面（肌接触面）４１ａは長手方向桟（第１の桟）４３の表面４３ａよりも肌７０側に近づけており、長手方向桟（第１の桟）４３の表面４３ａと短手方向桟４１の表面４１ａとの上下距離はＬ１に設定されている。また、短手方向桟４１の表面４１ａは長手方向桟（第２の桟）４４の表面４４ａとほぼ面一になっており、長手方向桟（第２の桟）４４の表面４４ａと短手方向桟４１の表面４１ａとの上下距離Ｌ３は、ほぼゼロとなっている。
【００３３】
長手方向桟（起毛桟）４５は、図８（ａ）に示すように、断面略Ｖ字状に形成されている。具体的には、短手方向中央部には、略平板状の平板部４５ａが形成されており、この平板部４５ａの短手方向両端には、平板部４５ａ側から短手方向の両端に向かうにつれて上方に位置するように傾斜した傾斜部４５ｂが設けられている。この傾斜部４５ｂは、平板部４５ａ側から短手方向の両端に向かうにつれて幅狭となるテーパ状に形成されており、当該傾斜部４５ｂの短手方向端４５ｌには、体毛７１を起立させる起毛部４５ｃが形成されている。この起毛部４５ｃは、肌面とのなす角度が小さい体毛（寝ている体毛）７１をより効率的に起こす起毛作用を有している。このように、本実施形態では、長手方向桟（起毛桟）４５には、主に剃り方向の一方方向（図１４の左から右：ａ方向）に移動させた際に起毛作用を発揮する起毛部４５ｃ（図１４の右側）と、主に剃り方向他方方向（図１４の右から左）に移動させた際に起毛作用を発揮する起毛部４５ｃ（図１４の左側）と、が設けられている。すなわち、複数の起毛部を異なる方向を向くように起毛桟に設けることで、起毛桟が、少なくとも２方向への移動の際に起毛作用を発揮できるようにしている。
【００３４】
なお、本実施形態では、長手方向桟（第１の桟）４３の側面４３ｃおよび長手方向桟（第２の桟）４４の側面４４ｃも、体毛７１を起立させる起毛部として機能するものである。ただし、側面４３ｃおよび側面４４ｃも、肌面とのなす角度が小さい体毛７１を起こす起毛作用を有しているが、起毛部４５ｃの方が、側面４３ｃおよび側面４４ｃよりも効率的に寝ている体毛７１を起こすことができる。すなわち、起毛部４５ｃの方が、側面４３ｃおよび側面４４ｃよりも寝ている体毛７１を起こす起毛力が大きくなっている。
【００３５】
このように、本実施形態では、長手方向桟（起毛桟）４５に、長手方向桟（第１の桟）４３の起毛部（本実施形態では、側面４３ｃ）および長手方向桟（第２の桟）４４の起毛部（本実施形態では、側面４４ｃ）よりも起毛力の大きい起毛部４５ｃを設けている。
【００３６】
また、長手方向桟（起毛桟）４５は、平板部４５ａの上部平坦面４５ｄ、傾斜部４５ｃの上部傾斜面４５ｅ、平板部４５ａの底面４５ｆおよび傾斜部４５ｃの下部傾斜面４５ｇによって画成されている。
【００３７】
そして、本実施形態では、上部平坦面４５ｄおよび上部傾斜面４５ｅが、肌７０に接触する肌接触面４５ｊに相当し、下部傾斜面４５ｇが体毛７１を外刃内（内刃側）に導入する体毛導入面４５ｋに相当している。
【００３８】
また、起毛部４５ｃの短手方向端４５ｌと短手方向桟４１の表面４１ａとの上下距離はＬ２に設定されており、Ｌ３＜Ｌ２＜Ｌ１の大小関係でオフセット配置されている。
【００３９】
また、長手方向桟（起毛桟）４５の上部平坦面４５ｄと短手方向桟４１の表面４１ａとの上下距離はＬ４に設定されており、Ｌ３＜Ｌ４＜Ｌ１の大小関係でオフセット配置されている。
【００４０】
さらに、図８（ｂ）に示すように、傾斜部４５ｂの短手方向端４５ｌは、曲率半径Ｒ２の断面半円状に形成されており、Ｒ２＜Ｒ１≦Ｒ３の大小関係に設定されている。このＲ２は、例えば３μｍが好ましい。ここで、二点鎖線で示す短手方向の基準線６０と上部傾斜面４５ｅとのなす逃げ角度αは、長手方向桟（第１の桟）４３の表面４３ａと短手方向の基準線６０とのなす逃げ角度（０°）および長手方向桟（第２の桟）４４の表面４４ａと短手方向の基準線６０とのなす逃げ角度（０°）よりも大きく設定されている。このように、肌７０との接触圧が高い部位における逃げ角度を、肌７０との接触圧が低い部位における逃げ角度αよりも小さく設定することで、肌７０との接触圧が高い部位が肌７０に与える影響（ダメージ）を抑制している。
【００４１】
さらに、本実施形態では、長手方向桟（起毛桟）４５の長手方向端部４５ｍは、図８，９に示すように、短手方向桟４１の側壁面４１ｂから長手方向に向けて断面略直線状に延びており、長手方向端部４５ｍと長手方向中央部４５ｎとは、境界部４５ｏを介してなだらかに湾曲して連結されている。この境界部４５ｏの曲率半径は例えば１０μｍが好ましい。
【００４２】
このように、本実施形態では、長手方向桟４２（桟４０）は、他の桟（長手方向桟４３および長手方向桟４４）の起毛部（本実施形態では、側面４３ｃおよび側面４４ｃが起毛部に相当）よりも、起毛力の大きい起毛部４５ｃが設けられた長手方向桟（起毛桟）４５と、表面４３ａが、長手方向桟（起毛桟）４５の肌接触面４５ｊよりも内刃１３側に位置するように設けられた長手方向桟（第１の桟）４３と、表面４４ａが、長手方向桟（起毛桟）４５の肌接触面４５ｊよりも肌７０側に位置するように設けられた長手方向桟（第２の桟）４４と、を備えている。
【００４３】
ここで、本実施形態では、ネット刃９，１０，１２の領域のうち肌７０との接触圧が高い部位（頂部９ａ，１０ａ，１２ａ）に、長手方向桟（第１の桟）４３を配置するとともに、接触圧が低い部位（外側部９ｂ，１０ｂ，１２ｂ）に、長手方向桟（起毛桟）４５を配置している。
【００４４】
さらに、肌７０と接触する表面（肌接触面）４３ａが、長手方向桟（起毛桟）４５の肌接触面４５ｊよりも内刃１３側に位置する長手方向桟（第１の桟）４３を、短手方向（前後方向：剃り方向）Ｘ前方で長手方向桟（起毛桟）４５と隣り合うように設けている。
【００４５】
具体的には、頂部９ａ，１０ａ，１２ａの短手方向Ｘ両側に延在する外側部９ｂ，１０ｂ，１２ｂの頂部側（内側）端部に、長手方向桟（起毛桟）４５をそれぞれ設けている。
【００４６】
そして、それぞれの長手方向桟（起毛桟）４５の短手方向Ｘ外側（図１３の下側）に、各長手方向桟（起毛桟）４５と隣り合うように長手方向桟（第１の桟）４３をそれぞれ設けている。
【００４７】
さらに、本実施形態では、各長手方向桟（起毛桟）４５と隣り合うように設けられた長手方向桟（第１の桟）４３の短手方向Ｘ外側（図１３の下側）に、肌７０と接触する表面（肌接触面）４４ａが、長手方向桟（起毛桟）４５の肌接触面４５ｊよりも肌７０側に位置する長手方向桟（第２の桟）４４をそれぞれ設けている。
【００４８】
すなわち、本実施形態では、図１３に示すように、外側部９ｂ，１０ｂ，１２ｂの頂部側から、長手方向桟（起毛桟）４５、長手方向桟（第１の桟）４３、長手方向桟（第２の桟）４４が順に設けられている。
【００４９】
また、本実施形態では、長手方向桟（起毛桟）４５の剃り方向後方にも、長手方向桟（第１の桟）４３が配置されている。すなわち、長手方向桟（起毛桟）４５の短手方向両隣に長手方向桟（第１の桟）４３が配置されている。
【００５０】
このように、長手方向桟（起毛桟）４５の短手方向両隣に長手方向桟（第１の桟）４３を配置すれば、短手方向のいずれの方向に外刃８を動かした場合でも、長手方向桟（起毛桟）４５の剃り方向前方に長手方向桟（第１の桟）４３が存在することとなる。
【００５１】
以上説明したように、本実施形態では、肌７０と接触する表面（肌接触面）４３ａが、長手方向桟（起毛桟）４５の肌接触面４５ｊよりも内刃１３側に位置する長手方向桟（第１の桟）４３を、短手方向（前後方向：剃り方向）Ｘ前方で長手方向桟（起毛桟）４５と隣り合うように設けている。したがって、起毛部４５ｃの剃り方向前方の空間が広くなって、肌７０をより内刃１３側に食い込ませることができるようになる。その結果、電気かみそり１の使用時に、起毛部４５ｃを肌７０により食い込ませることができ、寝ている体毛７１をより効率的に起毛させることができるようになる（図１４参照）。すなわち、本実施形態によれば、寝ている体毛７１のネット刃（外刃）９，１０，１２に対する導入性能の向上を図ることができる。また、図１４では、ネット刃（外刃）９，１０，１２を剃り方向の一方方向（図１４の左から右：ａ方向）に移動させたものを例示したが、剃り方向他方方向（図１４の右から左）にネット刃（外刃）９，１０，１２を移動させた場合にも、同様の作用、効果を奏することができる。この場合、剃り方向の前後が入れ替わることとなる。
【００５２】
また、本実施形態では、長手方向桟（起毛桟）４５の剃り方向後方にも、長手方向桟（第１の桟）４３が配置されている。すなわち、長手方向桟（起毛桟）４５の短手方向両隣に長手方向桟（第１の桟）４３が配置されている。したがって、電気かみそり１の使用時に、起毛部４５ｃを肌７０により一層食い込ませることができ、寝ている体毛７１をより効率的に起毛させることができるようになる。
【００５３】
また、本実施形態では、桟４０は、肌７０と接触する表面（肌接触面）４４ａが、長手方向桟（起毛桟）４５の肌接触面４５ｊよりも肌７０側に位置する長手方向桟（第２の桟）４４を備えている。このように、長手方向桟（第２の桟）４４を設けることで、起毛部４５ｃが肌７０に食い込み過ぎてしまうのが抑制され、肌７０に与える影響（ダメージ）を抑制することができる（図１４参照）。
【００５４】
なお、本実施形態では、短手方向桟４１も、肌７０と接触する表面（肌接触面）４１ａが、長手方向桟（起毛桟）４５の肌接触面４５ｊよりも肌７０側に位置しており、第２の起毛桟に相当している。したがって、長手方向桟（第２の桟）４４および短手方向桟４１とで、肌７０に与える影響（ダメージ）をより効果的に抑制することができる。
【００５５】
このように、ネット刃（外刃）９，１０，１２に、長手方向桟（起毛桟）４５、長手方向桟（第１の桟）４３および長手方向桟（第２の桟）４４を設けることで、肌７０に与える影響（ダメージ）を抑制させつつ、寝ている体毛７１のネット刃（外刃）９，１０，１２に対する導入性能の向上を図ることができる。
【００５６】
また、本実施形態によれば、ネット刃９，１０，１２の領域のうち肌７０との接触圧が高い部位（頂部９ａ，１０ａ，１２ａ）に、長手方向桟（第１の桟）４３を配置するとともに、接触圧が低い部位（外側部９ｂ，１０ｂ，１２ｂ）に、長手方向桟（第１の桟）４３の側面（起毛部）４３ｃよりも起毛力の大きい起毛部４５ｃを有する長手方向桟（起毛桟）４５を配置している。
【００５７】
このように、肌７０との接触圧が高い部位の起毛力を、接触圧が低い部位の起毛力よりも小さくすることにより、肌７０との接触圧が高い部位が肌７０に与える影響（ダメージ）を抑制することができる。
【００５８】
また、肌７０との接触圧が低い部位については、肌７０に与える影響がもともと低いため、起毛力を高めて効率的な起毛を行うことができる。
【００５９】
また、本実施形態によれば、桟４０は、ネット刃（外刃）９，１０，１２の長手方向に沿って延設される長手方向桟４２と、長手方向に交差する短手方向に沿って延設される短手方向桟４１とからなり、ネット刃（外刃）９，１０，１２が網目状になっている。そのため、体毛７１を刃穴５０に挿入しやすくなって、体毛７１を剃りやすくすることができるという効果がある。
【００６０】
また、本実施形態によれば、ネット刃（外刃）９，１０，１２は側方から見ると逆Ｕ字状に湾曲して形成されており、側面（起毛部）４３ｃ、側面（起毛部）４４ｃおよび起毛部４５ｃを、ネット刃（外刃）９，１０，１２の長手方向桟４３，４４，４５における短手方向の両端に形成している。このため、電気かみそり１を、短手方向の一方方向および他方方向のいずれの方向に移動させても、体毛７１を起立させることができるため、使用者の使い勝手が良好となるという効果がある。
【００６１】
また、本実施形態によれば、平板部４５ａ側から短手方向の両端に向かうにつれて上方に位置するように傾斜した傾斜部４５ｂを長手方向桟（起毛桟）４５に設けるとともに、この傾斜部４５ｂを、平板部４５ａ側から短手方向の両端に向かうにつれて幅狭となるテーパ状に形成している。そして、傾斜部４５ｂの短手方向端４５ｌに、体毛７１を起立させる起毛部４５ｃを形成している。このように、短手方向端４５ｌを断面テーパ状（先細り形状）にして起毛部４５ｃとすることで、簡素な形状で起毛部４５ｃを形成することができる。また、起毛角（体毛の延びている方向と肌面とのなす角度）の小さい体毛７１が、起毛部４５ｃと肌７０との間に潜り込んでしまうのを抑制することができ、寝ている体毛７１をより確実に起立させることができる。
【００６２】
また、本実施形態によれば、長手方向桟４５における長手方向端部４５ｍは断面略直線状に形成し、長手方向中央部４５ｎに傾斜部４５ｂを設け、これらの長手方向端部４５ｍと長手方向中央部４５ｎとの境界部４５ｏをなだらかに湾曲させて連結させている。このように、長手方向桟４５における長手方向端部４５ｍと長手方向中央部４５ｎとの境界部４５ｏをなだらかに湾曲させて連結させることにより、ネット刃（外刃）９，１０，１２を肌７０に沿って移動させたときに、境界部４５ｏが肌７０に与える影響（ダメージ）を抑制することができる。
【００６３】
次に、本実施形態にかかる桟の変形例を説明する。
【００６４】
（第１変形例）
本変形例にかかる桟４０Ａは、図１５に示すように、肌７０側（図１５の上側）に形成されて肌７０が接触する略平坦状の表面（肌接触面）４０ａＡと、内刃１３側（図１５の下側）に平坦状に形成された底面４０ｂＡと、表面（肌接触面）４０ａＡおよび底面４０ｂＡの短手方向端部同士を滑らかに結ぶ両側面４０ｃＡ，４０ｃＡと、で断面略逆台形状に形成されている。そして、桟４０Ａ上部の短手方向両端に一対の起毛部４０ｄＡ，４０ｄＡが形成されている。
【００６５】
このような桟４０Ａを、第１の桟、第２の桟、起毛桟として用いる場合、第１の桟の表面（肌接触面）４０ａＡが、起毛桟の表面（肌接触面）４０ａＡよりも内刃１３側に位置するように設けるとともに、第２の桟の表面（肌接触面）４０ａＡが、起毛桟の表面（肌接触面）４０ａＡよりも肌７０側に位置するように設けるようにすればよい。さらに、起毛桟の表面（肌接触面）４０ａＡと側面４０ｃＡとのテーパの開き角度βが、第１および第２の桟の表面（肌接触面）４０ａＡと側面４０ｃＡとのテーパの開き角度βよりも小さくなるようにすればよい。このように、起毛桟の起毛部のテーパの開き角度βを、第１および第２の桟の起毛部のテーパの開き角度βよりも小さくすることで、起毛桟の起毛部の起毛力を第１および第２の桟の起毛部よりも大きくすることができる。なお、第１および第２の桟の起毛部のテーパの開き角度βは、例えば７０°が好ましく、起毛桟の起毛部のテーパの開き角度βは、例えば２０°が好ましい。
【００６６】
（第２変形例）
本変形例にかかる桟４０Ｂは、図１６に示すように、肌７０側（図１６の上側）に形成されて肌７０が接触する略平坦状の表面（肌接触面）４０ａＢと、内刃１３側（図１６の下側）に平坦状に形成された底面４０ｂＢと、を有する平板状に形成されている。そして、桟４０Ｂの短手方向両端が半円状の起毛部４０ｃＢ，４０ｃＢとなっている。
【００６７】
このような桟４０Ｂを、第１の桟、第２の桟、起毛桟として用いる場合、第１の桟の表面（肌接触面）４０ａＢが、起毛桟の表面（肌接触面）４０ａＢよりも内刃１３側に位置するように設けるとともに、第２の桟の表面（肌接触面）４０ａＢが、起毛桟の表面（肌接触面）４０ａＢよりも肌７０側に位置するように設けるようにすればよい。さらに、起毛桟の起毛部４０ｃＢの曲率半径を、第１および第２の桟の起毛部４０ｃＢの曲率半径よりも小さくなるようにすればよい。このように、起毛桟の起毛部４０ｃＢの曲率半径を、第１および第２の桟の起毛部４０ｃＢの曲率半径よりも小さくすることで、起毛桟の起毛部の起毛力を第１および第２の桟の起毛部よりも大きくすることができる。
【００６８】
（第３変形例）
本変形例にかかる桟４０Ｃは、図１７に示すように、肌７０側（図１７の上側）に凸状に湾曲形成され、肌７０が接触する表面（肌接触面）４０ａＣと、内刃１３側（図１７の下側）に平坦状に形成された底面４０ｂＣと、表面（肌接触面）４０ａＣおよび底面４０ｂＣの短手方向端部同士を滑らかに結ぶ両側面４０ｃＣ，４０ｃＣと、で画成されている。そして、桟４０Ｃ上部の短手方向両端に一対の起毛部４０ｄＣ，４０ｄＣが形成されている。
【００６９】
このような桟４０Ｃを、第１の桟、第２の桟、起毛桟として用いる場合、上記第１変形例と同様の方法で用いるようにすればよい。
【００７０】
（第４変形例）
本変形例にかかる桟４０Ｄは、図１８に示すように、断面略蒲鉾状の本体部４０ｂＤを有しており、当該本体部４０ｂＤの肌７０側（図１８の上側）には、肌７０が接触する略平坦状の表面（肌接触面）４０ａＤが形成されている。
【００７１】
そして、本体部４０ｂＤの上部の短手方向両端に一対の起毛部４０ｃＤ，４０ｃＤが形成されている。
【００７２】
このような桟４０Ｄを、第１の桟、第２の桟、起毛桟として用いる場合、上記第１変形例または第２変形例と同様の方法で用いるようにすればよい。
【００７３】
（第５変形例）
本変形例にかかる桟４０Ｅは、図１９に示すように、肌７０側（図１９の上側）に形成されて肌７０が接触する略平坦状の表面（肌接触面）４０ａＥを有する略板状の本体部４０ｃＥを備え、当該本体部４０ｃＥの下端部に下方に延びる突出部４０ｂＥが形成されている。
【００７４】
そして、本体部４０ｃＥの短手方向両端に一対の起毛部４０ｄＥ，４０ｄＥが形成されている。
【００７５】
このような桟４０Ｅを、第１の桟、第２の桟、起毛桟として用いる場合、上記第２変形例と同様の方法で用いるようにすればよい。
【００７６】
（第６変形例）
本変形例にかかる桟４０Ｆは、断面略Ｔ字状に形成されている。具体的には、桟４０Ｆは、図２０に示すように、肌７０側（図２０の上側）に形成されて肌７０が接触する略平坦状の表面（肌接触面）４０ａＦを有する略板状の本体部４０ｂＦを備え、当該本体部４０ｂＦの下端部に下方に延びる突出部４０ｃＦが形成されている。
【００７７】
そして、本体部４０ｂＦの短手方向両端に一対の起毛部４０ｄＦ，４０ｄＦが形成されている。
【００７８】
このような桟４０Ｆを、第１の桟、第２の桟、起毛桟として用いる場合、上記第２変形例と同様の方法で用いるようにすればよい。
【００７９】
（第７変形例）
本変形例にかかる桟４０Ｇは、断面略エ字状に形成されている。具体的には、桟４０Ｇは、図２１に示すように、肌７０側（図２１の上側）に形成されて肌７０が接触する略平坦状の表面（肌接触面）４０ａＧを有する略板状の本体部４０ｂＧを備え、当該本体部４０ｂＧの下端部に下方に延びる突出部４０ｃＧが形成されている。さらに、突出部４０ｃＧの下端には短手方向両側に延びる断面三角状の延設部４０ｄＧ，４０ｄＧが形成されている。
【００８０】
そして、本体部４０ｂＧの短手方向両端に一対の起毛部４０ｅＧ，４０ｅＧが形成されている。
【００８１】
このような桟４０Ｇを、第１の桟、第２の桟、起毛桟として用いる場合、上記第２変形例と同様の方法で用いるようにすればよい。
【００８２】
（第２実施形態）
本実施形態にかかるネット刃９Ｈ，１０Ｈ，１２Ｈは、図２２に示すように、基本的に上記第１実施形態にかかるネット刃９，１０，１２とほぼ同様の構成をしている。
【００８３】
すなわち、ネット刃９Ｈ，１０Ｈ，１２Ｈは、短手方向桟４１および長手方向桟４２によって多数の刃穴５０が画成された長板状部材９ｃＨ，１０ｃＨ，１２ｃＨ（図２２（ａ）参照）を、上方が凸となるように前後方向（剃り方向）Ｘに沿って逆Ｕ字状に湾曲させることで形成されている。
【００８４】
そして、長手方向桟４２（桟４０）は、他の桟（長手方向桟４３および長手方向桟４４）の起毛部（本実施形態では、側面４３ｃおよび側面４４ｃが起毛部に相当）よりも、起毛力の大きい起毛部４５ｃが設けられた長手方向桟（起毛桟）４５と、表面４３ａが、長手方向桟（起毛桟）４５の肌接触面４５ｊよりも内刃１３側に位置するように設けられた長手方向桟（第１の桟）４３と、表面４４ａが、長手方向桟（起毛桟）４５の肌接触面４５ｊよりも肌７０側に位置するように設けられた長手方向桟（第２の桟）４４と、を備えている。
【００８５】
そして、肌７０と接触する表面（肌接触面）４３ａが、長手方向桟（起毛桟）４５の肌接触面４５ｊよりも内刃１３側に位置する長手方向桟（第１の桟）４３を、短手方向（前後方向：剃り方向）Ｘ前方で長手方向桟（起毛桟）４５と隣り合うように設けている。
【００８６】
具体的には、頂部９ａＨ，１０ａＨ，１２ａＨの短手方向Ｘ両側に延在する外側部９ｂＨ，１０ｂＨ，１２ｂＨの頂部側（内側）端部に、長手方向桟（起毛桟）４５をそれぞれ設けている。そして、それぞれの長手方向桟（起毛桟）４５の短手方向（前後方向：剃り方向）Ｘ外側に、各長手方向桟（起毛桟）４５と隣り合うように長手方向桟（第１の桟）４３をそれぞれ設けている。
【００８７】
さらに、各長手方向桟（起毛桟）４５と隣り合うように設けられた長手方向桟（第１の桟）４３の短手方向（前後方向：剃り方向）Ｘ外側に、肌７０と接触する表面（肌接触面）４４ａが、長手方向桟（起毛桟）４５の肌接触面４５ｊよりも肌７０側に位置する長手方向桟（第２の桟）４４をそれぞれ設けている。
【００８８】
ここで、本実施形態では、ネット刃９Ｈ，１０Ｈ，１２Ｈの領域のうち肌７０との接触圧が高い部位（頂部９ａＨ，１０ａＨ，１２ａＨ）に、長手方向桟（第２の桟）４４を配置するとともに、接触圧が低い部位（外側部９ｂＨ，１０ｂＨ，１２ｂＨ）に、長手方向桟（起毛桟）４５を配置している。
【００８９】
また、本実施形態では、各長手方向桟（起毛桟）４５の剃り方向後方に、各長手方向桟（起毛桟）４５と隣り合うように長手方向桟（第２の桟）４４を設けている。この長手方向桟（第２の桟）４４は、図２２に示すように、頂部９ａＨ，１０ａＨ，１２ａＨの短手方向（前後方向：剃り方向）両端に設けられている。
【００９０】
すなわち、長手方向桟（起毛桟）４５は、長手方向桟（第１の桟）４３と長手方向桟（第２の桟）４４との間に設けられている。
【００９１】
以上の本実施形態によっても、上記第１実施形態とほぼ同様の作用、効果を奏することができる。
【００９２】
また、本実施形態によれば、頂部９ａＨ，１０ａＨ，１２ａＨ）に、長手方向桟（第２の桟）４４を設けているため、起毛部４５ｃが肌７０に食い込み過ぎてしまうのをより一層抑制することができ、起毛部４５ｃが肌７０に与える影響（ダメージ）をより効果的に抑制することができる。
【００９３】
また、本実施形態によれば、長手方向桟（起毛桟）４５の剃り方向後方に、当該長手方向桟（起毛桟）４５と隣り合うように長手方向桟（第２の桟）４４を設けている。その結果、電気かみそり１の使用時に、起毛部４５ｃを肌７０により一層食い込ませることができ、寝ている体毛７１をより効率的に起毛させることができるようになる。
【００９４】
（第３実施形態）
本実施形態では、回転式の電気かみそりに本発明を適用したものを説明する。
【００９５】
本実施形態にかかる電気かみそり１Ｉは、内刃１３Ｉを回転刃とした点が上記第１実施形態と主に異なっている。
【００９６】
この電気かみそり１Ｉは、外刃８Ｉと、当該外刃８Ｉの内方（外刃８Ｉの下側）に配設されて外刃８Ｉに対して相対移動する内刃１３Ｉと、を備えている。この外刃８Ｉおよび内刃１３Ｉは、それぞれ円形に形成されており、本体側に固定した外刃８Ｉに対して内刃１３Ｉが回転方向（ｂ方向）に回転するようになっている。そして、外刃８Ｉの刃穴５０内に挿入された体毛７１を、外刃８Ｉと、内刃１３Ｉと、で協働して切断するように構成している。
【００９７】
本実施形態では、径方向に細長い略矩形状の刃穴５０が、放射状に多数設けられている。この刃穴５０は、図２４に示すように、放射状に延在する多数の桟４０Ｉによって画成されている。そして、桟４０Ｉは、第１の桟４３Ｉと、起毛桟４５Ｉと、を備えている。
【００９８】
起毛桟４５Ｉは、肌７０側（図２５の上側）に形成されて肌７０が接触する略平坦状の表面（肌接触面）４５ａＩと、内刃１３Ｉ側（図２５の下側）に平坦状に形成された底面４５ｂＩと、表面（肌接触面）４５ａＩおよび底面４５ａＩの端部同士を滑らかに結ぶ両側面４５ｃＩ，４５ｃＩと、で画成されている。そして、起毛桟４５Ｉの上部には、剃り方向（本実施形態では、内刃１３Ｉの回転方向：ｂ方向）の前側に突出する起毛部４５ｄＩが形成されている。
【００９９】
また、第１の桟４３Ｉは、肌７０側（図２５の上側）に形成されて肌７０が接触する略平坦状の表面（肌接触面）４３ａＩと、内刃１３Ｉ側（図２５の下側）に平坦状に形成された底面４３ｂＩと、表面（肌接触面）４３ａＩおよび底面４３ａＩの回転方向（ｂ方向）の後端部同士を結ぶ傾斜面４３ｃＩと，表面（肌接触面）４３ａＩおよび底面４３ａＩの回転方向（ｂ方向）の前端部同士を結ぶ略鉛直に延在する側面４３ｄＩと、で断面略直角台形状に形成されている。
【０１００】
本実施形態では、側面４３ｄＩが起毛部に相当しており、この側面４３ｄＩは、起毛力が起毛部４５ｄＩの起毛力よりも小さくなるように設定されている。
【０１０１】
さらに、本実施形態では、起毛桟４５Ｉの表面（肌接触面）４５ａＩを第１の桟４３Ｉの表面（肌接触面）４３ａＩよりもｈだけ外方に突出させることで、第１の桟４３Ｉの表面（肌接触面）４３ａＩが、起毛桟４５Ｉの起毛部４５ｄＩよりも内刃１３Ｉ側となるようにしている。
【０１０２】
このように、本実施形態においても、肌７０と接触する表面（肌接触面）４３ａＩが、起毛桟４５Ｉの表面（肌接触面）４５ａＩよりも内刃１３Ｉ側に位置する第１の桟４３Ｉを、剃り方向（ｂ方向）前方で起毛桟４５Ｉと隣り合うように設けている。
【０１０３】
以上の本実施形態によっても、上記第１実施形態と同様の作用、効果を奏することができる。
【０１０４】
以上、本発明の好適な実施形態について説明したが、本発明は上記実施形態には限定されず、種々の変形が可能である。
【０１０５】
例えば、上記第１および第２実施形態では、頂部に、起毛力が略同一の起毛部を有する桟を設けたものを例示したが、桟の起毛部の起毛力が、頂部の左右方向中央部から両端部に向かうにつれて徐々に高くなるようにしてもよい。
【０１０６】
また、桟の形状は、上記各実施形態および各変形例で示したものに限らず、種々の形状とすることができる。さらに、上記各実施形態および各変形例で示した形状も含めた種々の形状のなかから任意に選択した形状の桟を、それぞれ第１の桟、第２の桟、起毛桟とすることも可能である。なお、第１の桟および第２の桟として同一のものを用いる場合、上下（肌側と内刃側と）にオフセット配置すればよい。
【０１０７】
また、上記第１および第２実施形態では、外刃を４枚並列したものを例示したが、外刃の数は、１〜３枚であっても、５枚以上であってもよい。
【０１０８】
また、上記第１および第２実施形態では、３枚のネット刃のそれぞれに起毛桟を設けたものを例示したが、スリット刃を含めて少なくともいずれか１つの外刃に起毛桟が設けられていればよい。
【０１０９】
また、上記第１および第２実施形態では、グリップ部に固定されたヘッド部に外刃が設けられたものを例示したが、グリップ部に外刃を設けるようにしてもよい。
【０１１０】
また、上記第３実施形態では、円形の外刃が１つ設けられたものを例示したが、これに限らず、円形の外刃を２つ以上設けたものであっても、本発明を適用できる。
【０１１１】
また、外刃や内刃、桟、その他細部のスペック（形状、大きさ、レイアウト等）も適宜に変更可能である。
【符号の説明】
【０１１２】
１  電気かみそり
８  外刃
９ａ，１０ａ，１２ａ  頂部
９ｂ，１０ｂ，１２ｂ  外側部
１３  内刃
４０  桟
４１  短手方向桟
４１ａ  表面
４２  長手方向桟
４３  長手方向桟（第１の桟）
４３ａ  表面（肌接触面）
４４  長手方向桟（第２の桟）
４４ａ  表面（肌接触面）
４５  長手方向桟（起毛桟）
４５ｃ  起毛部
４５ｊ  肌接触面
５０  刃穴
７０  肌
７１  体毛
Ｘ  剃り方向
【図１】
2011200551.tif 000003
【図２】
2011200551.tif 000004
【図３】
2011200551.tif 000005
【図４】
2011200551.tif 000006
【図５】
2011200551.tif 000007
【図６】
2011200551.tif 000008
【図７】
2011200551.tif 000009
【図８】
2011200551.tif 000010
【図９】
2011200551.tif 000011
【図１０】
2011200551.tif 000012
【図１１】
2011200551.tif 000013
【図１２】
2011200551.tif 000014
【図１３】
2011200551.tif 000015
【図１４】
2011200551.tif 000016
【図１５】
2011200551.tif 000017
【図１６】
2011200551.tif 000018
【図１７】
2011200551.tif 000019
【図１８】
2011200551.tif 000020
【図１９】
2011200551.tif 000021
【図２０】
2011200551.tif 000022
【図２１】
2011200551.tif 000023
【図２２】
2011200551.tif 000024
【図２３】
2011200551.tif 000025
【図２４】
2011200551.tif 000026
【図２５】
2011200551.tif 000027